(57)【要約】多層階構造物の周囲の少なくとも一部の周りに配置されたファサードを有する多層階構造物の構築方法であって、建築中に、ファサードの少なくとも一部は、構造物の上部の作業領域を超えて延びるように配置され、その作業領域の安全バリアの少なくとも一部を形成する、方法。【選択図】図１
2021533294.tif 000002
【特許請求の範囲】
【請求項１】
多層階構造物の周囲の少なくとも一部の周りに配置されたファサードを有する多層階構造物の構築方法であって、建設中に、ファサードの少なくとも一部は、構造物の上部の作業領域を超えて延びるように配置され、前記作業領域のための安全バリアの少なくとも一部を形成する、多層階構造物の構築方法。
【請求項２】
前記ファサードは、複数のパネルから形成され、前記パネルは、前記安全バリアの少なくとも一部を形成する、請求項１に記載の多層階構造物の構築方法。
【請求項３】
前記ファサードは、支持要素と充填部材とを含み、前記支持要素は、前記充填部材に接続され、かつ、前記充填部材によって支持され、少なくとも前記支持要素は、前記安全バリアの少なくとも一部を形成する、請求項１又は２に記載の多層階構造物の構築方法。
【請求項４】
前記充填部材が前記安全バリアの一部も形成する、請求項３に記載の多層階構造物の構築方法。
【請求項５】
前記安全バリアの一部を形成する取り外し可能なバリア材料をさらに含む、請求項１〜４のいずれか１項に記載の多層階構造物の構築方法。
【請求項６】
請求項２に従属するときに、前記バリア材料は、前記パネルの内側に配置される、請求項５に記載の多層階構造物の構築方法。
【請求項７】
請求項３に従属するときに、前記充填部材は、前記バリア材料を使用して、又はバリア材料を除去した後に、前記支持要素に連結される、請求項５に記載の多層階構造物の構築方法。
【請求項８】
前記多層階構造物を構築する際に、前記構造物の少なくとも１つのさらなる床が前記上部の作業領域の上方に構築され、前記さらなる床のそれぞれは、前記構造物のそれぞれの後続の上部の作業領域を形成し、前記ファサードの少なくとも一部は、前記後続の上部の作業領域の少なくとも１つを超えて延びるように配置され、前記後続の作業領域のための安全バリアの少なくとも一部を形成する、請求項１〜７のいずれか１項に記載の多層階構造物の構築方法。
【請求項９】
前記ファサードが建設された後に少なくとも１つの床が形成され、前記床は、前記床が前記ファサードと連結するように形成されている、請求項１〜８のいずれか１項に記載の多層階構造物の構築方法。
【請求項１０】
前記ファサードが連結領域を含む、請求項９に記載の多層階構造物の構築方法。
【請求項１１】
前記床を形成する際に、前記床が前記連結領域を取り囲む、請求項１０に記載の多層階構造物の構築方法。
【請求項１２】
前記多層階構造物を構築する際に、前記ファサードの少なくとも一部は、前記ファサードが次の床が構築される高さよりも上に延びて次の床の上に安全バリアが形成されるように、関連する階の前に建造される、請求項１〜１１のいずれか１項に記載の多層階構造物の構築方法。
【請求項１３】
前記多層階構造物の階の周囲の少なくとも一部の周りに複数のファサードパネルを配置することと、前記上層階の連結部材が前記多層階構造物の内側に延びるように前記ファサードパネルを向けることと、前記上層階の連結部材が前記上層階と係合して前記上層階を前記複数のファサードパネルと連結するように、前記上層階の連結部材の高さに前記上層階を形成することとを含み、前記ファサードパネルは、前記パネルの第１の対向面から延びる上層階の接続部分を備えた２つの対向面を有する、請求項１〜１２のいずれか１項に記載の多層階構造物の構築方法。
【請求項１４】
前記ファサードパネルは、上端及び下端を有し、使用時に、前記上層階の床連結部材は、前記上端及び前記下端の中間に配置される、請求項１３に記載の方法。
【請求項１５】
前記上層階の連結部材は、前記パネルの前記第１の対向面から延びるフック又はバーを含む、請求項１３又は１４に記載の方法。
【請求項１６】
前記上層階連結部材は、前記パネルの前記第１の対向面に貼り付けられる、請求項１３〜１５のいずれか１項に記載の方法。
【請求項１７】
前記上層階の連結部材は、前記パネルの前記第１の対向面に溶接又は固定される、請求項１３〜１６のいずれか１項に記載の方法。
【請求項１８】
前記上層階の連結部材は、前記パネルの前記第１の対向面にボルト締めされるか、又は取外し可能に固定される、請求項１３〜１７のいずれか１項に記載の方法。
【請求項１９】
前記上層階は鉄筋コンクリートで打設されており、前記上層階の連結部材を前記上層階のコンクリートで包むことをさらに含む、請求項１３〜１８のいずれか１項に記載の方法。
【請求項２０】
前記上層階の連結部材はフックを含み、前記上層階の連結部材をコンクリートで包む前に、前記フックは前記鉄筋コンクリートの鉄筋と係合する、請求項１９に記載の方法。
【請求項２１】
前記支持部分は、前記上層階の連結部材から前記構造物内に延びるように構成され、前記支持部分は、前記支持部材が上層階の前記コンクリートに包まれるように位置決めされる、請求項１９又は２０に記載の方法。
【請求項２２】
前記ファサードパネルは、互いに隣接して配置される、請求項１３〜２１のいずれか１項に記載の方法。
【請求項２３】
前記ファサードパネルは、前記ファサードと衝突する車両に耐えるのに十分な強度のある材料で構成されている、請求項１３〜２２のいずれか１項に記載の方法。
【請求項２４】
前記ファサードパネルは、構造用スチールで構成される、請求項２３に記載の方法。
【請求項２５】
前記ファサードパネルは換気口を含む、請求項１３〜２４のいずれか１項に記載の方法。
【請求項２６】
前記ファサードパネルは、スラット、格子、又は穿孔されたスチールの形態である、請求項２５に記載の方法。
【請求項２７】
前記ファサードパネルは装飾的である、請求項１３〜２６のいずれか１項に記載の方法。
【請求項２８】
前記ファサードパネルは、建設中及び建設後に前記構造物から落下するのを防止する、請求項１〜２７のいずれか１項に記載の方法。
【請求項２９】
多層階構造物の周囲の少なくとも一部の周りに配置されるように構成されたファサードパネルであって、建築中に、ファサードの少なくとも一部は、前記構造物の上部の作業領域を超えて延び、前記作業領域のための安全バリアの少なくとも一部を形成するように配置される、ファサードパネル。
【請求項３０】
ａ.２つの対向面、及びその場の上端及び下端と、
ｂ.前記ファサードパネルの第１の対向面から延び、前記上端と前記下端の中間に配置される連結部材とを含む、請求項２９に記載のファサードパネル。
【請求項３１】
前記連結部材が、前記第１の対向面から延びるフック又はバーを含む、請求項３０に記載のファサードパネル。
【請求項３２】
前記連結部材が、前記第１の対向面にボルト締めされるか、又は取外し可能に固定されている、請求項３０又は３１に記載のファサードパネル。
【請求項３３】
前記ファサードパネルの前記上端又は前記下端に配置されたファサード連結手段をさらに備える、請求項３０〜３２のいずれか１項に記載のファサードパネル。
【請求項３４】
前記ファサードパネルが、前記ファサードと衝突する車両に耐えるのに十分な強度のある材料で構成される、請求項２９〜３３のいずれか１項に記載のファサードパネル。
【請求項３５】
前記ファサードパネルが、使用時に前記構造物の内部に延びるように位置決めされた支持部分をさらに含む、請求項２９〜３４のいずれか１項に記載のファサードパネル。
【請求項３６】
前記支持部分が、前記支持部分から上向きに延びる車輪止めを含む、請求項３５に記載のファサードパネル。
【請求項３７】
前記支持部分が、前記支持部分から上向きに延びるガードレールを含む、請求項３５又は３６に記載のファサードパネル。
【請求項３８】
前記ファサードパネルが、構造用スチールで構成される、請求項２９〜３７のいずれか１項に記載のファサードパネル。
【請求項３９】
前記ファサードパネルが、換気口を含む、請求項２９〜３８のいずれか１項に記載のファサードパネル。
【請求項４０】
前記ファサードパネルが、スラット、格子、又は穿孔されたスチールの形態である、請求項２９〜３９のいずれか１項に記載のファサードパネル。
【請求項４１】
前記ファサードパネルが、装飾的である、請求項２９〜４０のいずれか１項に記載のファサードパネル。
【請求項４２】
前記連結部材の上の前記ファサードパネルの部分が、落下防止バリアとして機能する、請求項２６、又は請求項２６に従属するときの請求項３１〜４１のいずれか１項に記載のファサードパネル。
【請求項４３】
前記構造物の落下防止システム及び恒久的なファサードとして機能するように構成された、請求項２９〜４２のいずれか１項に記載のファサードパネル。
【請求項４４】
外装ファサードを有する構造物を建設するためのファサード枠組であって、内枠と、前記内枠から離間して前記内枠に連結された外枠とを含み、前記外装ファサードのファサードパネルが前記内枠に取り付けられている、ファサード枠組。
【請求項４５】
前記ファサードパネルが窓又は壁を含む、請求項４４に記載のファサード枠組。
【請求項４６】
多層階構造物を建築するためのモジュール式建築システムであって、外側壁部分と、第２の壁部分及び床部分のうちの少なくとも１つとを含むモジュール式ユニットを含む、モジュール式建築システム。
【請求項４７】
請求項１〜２８のいずれか１項に記載の方法を使用して建設された建物。
【請求項４８】
請求項２９〜４３のいずれか１項に記載のファサードパネルを使用して建設された建物。
【請求項４９】
請求項４４又は４５に記載の枠組を使用して建設された建物。
【請求項５０】
請求項４６に記載のモジュール式ユニットを使用して建設された建物。
【発明の詳細な説明】
【技術分野】
【０００１】
本開示は、外装ファサードを有する多層階構造物並びに構造物及びファサードの構築又は組立方法に関する。
【背景技術】
【０００２】
多層階構造物のファサードは、構造物の構築後に多層階構造物に取り付けられる既製のモジュール式の要素を利用することが知られている。いくつかの形態において、多層階構造を建設する既知の方法では、事前に製造されたファサード要素を構造物の任意の階で床に追加して、構造物の壁及びいくつかの形態では窓を提供するために、安全レール又は足場が必要である。多層階構造物を構築する既知の方法は、ｉ)足場又は周囲スクリーンを構築すること、ｉｉ)地面又はスラブから上方に延びる支柱を構築すること、ｉｉｉ)上層階用に型枠を建設すること、ｉｖ)上層階を形成すること、ｖ)構造物が必要な高さになるまで繰り返すこと、ｖｉ)足場又は周囲スクリーンを撤去すること、及び、ｖｉｉ)構造物に外装ファサードを取り付けることを含む。あるいは、既知の方法は、多層階構造物の任意の床に安全レールを構築することと、落下を防止するためにハーネスを利用することを含み得る。
【発明の概要】
【発明が解決しようとする課題】
【０００３】
いずれかの従来技術が本明細書において言及されている場合、そのような言及は、先行技術がオーストラリア又はその他の国における当該技術における一般知識の一部を形成していることの容認を構成しないことが理解されるべきである。
【課題を解決するための手段】
【０００４】
多層階構造物の周囲の少なくとも一部の周りに配置されたファサードを有し、建設中に、ファサードの少なくとも一部は、構造物の上部の作業領域を超えて延びるように配置され、作業領域のための安全バリアの少なくとも一部を形成する多層階構造物の構築方法を開示する。
【０００５】
いくつかの形態において、ファサードは複数のパネルから形成され、パネルは、安全バリアの少なくとも一部を形成する。
【０００６】
この方法には、高価な足場又は周囲スクリーンを構築する必要なしに、多層階構造物の建設を可能にするという利点がある。この方法には、安全性を高めるという利点もある。これは、ファサードが周囲のスクリーン又は足場として機能し、構造物からの落下を防ぐためである。この方法は、構造物の外装ファサード又は外壁と、足場とが、本質的に一体化し得ることを意味する。
【０００７】
いくつかの形態において、ファサードを有する多層階構造物の構築方法が開示されており、この方法は、多層階構造物の１階の周囲の少なくとも一部の周りに複数のファサードパネルを配置することと、上層階の連結部材が多層階構造物の内側に延びるようにファサードパネルを向けることと、上層階の連結部材が上層階と係合して上層階と複数のファサードパネルとを連結するように、上層階の連結部材の高さに上層階を形成することとを含み、ファサードパネルは、パネルの第１の対向面から延びる上層階の接続部材を備えた２つの対向面を有する。
【０００８】
いくつかの形態において、ファサードパネルは、落下防止システムとしても、構造物の恒久的なファサードパネルとしても機能する。いくつかの形態において、ファサードパネルは、構造物の床の下に配置されるように構成された部分と、構造物の床の上に配置されるように構成された部分とを含む。
【０００９】
いくつかの形態において、ファサードパネルは、上端及び下端を有し、使用時に、上層階の連結部材は、上端と下端の中間に配置される。
【００１０】
上端と下端の中間にある上層階の連結部材は、床が打設されると、新しい床の上にファサードパネルを延ばすという利点があり、このことは、新しい床に立っている作業者又は他の人が、ファサードパネルによって囲まれ、ある程度の保護が与えられることを意味する。
【００１１】
いくつかの形態において、ファサードパネルは、落下防止及び窓を含む恒久的なファサードとして機能するのに十分な強度の材料で構成されている。
【００１２】
いくつかの形態において、ファサードパネルは、建物の建設中及び建設後に人が構造物から落下するのを防ぐ。
【００１３】
さらに、２つの対向面、並びに、その場の上端及び下端を含むファサードパネルと、ファサードパネルの第１の対向面から延びる連結部分とが開示され、連結部分は、上端と下端の中間に配置されている。
【００１４】
以下、添付図面を参照して、本発明の実施形態を一例として説明する。
【図面の簡単な説明】
【００１５】
【図１】本開示の一実施形態における多層階構造物の簡略的な等角図である。
【図２】本開示の一実施形態を使用して建設される多層階構造物の一部の断面図である。
【図３】図２の建設に利用される複数のファサードパネルの断面図である。
【図４】図２の建設に利用される複数のファサードパネルの断面図である。
【図５】本開示の一実施形態における建築パネルの内側からの等角図である。
【図６】本開示の一実施形態における建設パネルの外側からの等角図である。
【図７】本開示の一実施形態における建設パネルの等角投影図である。
【図８】図７の建設パネルの外等角図である。
【図９】図７の建設パネルの内部立面図である。
【図１０】図７の建設パネルの平面図である。
【図１１】本開示のさらなる実施形態における多層階構造物の簡略的な等角図である。
【図１２】本開示の実施形態を使用して建設される多層階構造物の一部の断面図である。
【図１３】図１２の建設において利用される複数のファサードパネルの断面図である。
【図１４】図１２の建設において利用される複数のファサードパネルの断面図である。
【図１５】本開示の一実施形態における建設パネルの内側からの等角図である。
【図１６】本開示のさらなる実施形態における多層階構造物の簡略的な等角図である。
【図１７】本開示の実施形態を使用して建設される多層階構造物の断面図である。
【図１８】図１６の建設において利用される複数のファサードパネルの断面図である。
【図１９】図１６の建設において利用される複数のファサードパネルの断面図である。
【図２０】図１６の建設において利用されるファサードパネルの断面図である。
【図２１】図１６の建設において利用されるファサードパネルの断面図である。
【図２２】図１６の建設において利用されるファサードパネルの断面図である。
【図２３】図１６の建設において利用されるファサードパネルの断面図である。
【図２４】図１６の建設において利用されるファサードパネルの断面図である。
【図２５】本開示のさらなる実施形態における多層階構造物の簡略的な等角図である。
【図２６】本開示のさらなる実施形態における多層階構造物の簡略的な等角図である。
【図２７】本開示のさらなる実施形態における多層階構造物の簡略的な等角図である。
【図２８】本開示のさらなる実施形態におけるモジュール式パネルの平面図である。
【図２９】本開示のさらなる実施形態における多層階構造物の建設の簡略的な等角図である。
【図３０】図２９の構造物の側面図である。
【図３１】本開示のさらなる実施形態における多層階構造物の建設の簡略的な等角図である。
【図３２】図３１の構造物の側面図である。
【図３３】本開示のさらなる実施形態における多層階構造物の建設の簡略的な等角図である。
【図３４】図３３の構造物の側面図である。
【図３５】本開示のさらなる実施形態における多層階構造物の建設の側面図である。
【図３６】本開示のさらなる実施形態における多層階構造物の建設の簡略的な等角図である。
【図３７】図３６の構造物の平面図である。
【図３８】図３６の構造物の側面図である。
【図３９】本開示のさらなる実施形態における多層階構造物の建設の簡略的な等角図である。
【図４０】図３９の構造物のさらなる等角図である。
【図４１】本開示のさらなる実施形態における多層階構造物の建設の簡略的な等角図である。
【図４２】本開示のさらなる実施形態における多層階構造物の建設の立面図である。
【発明を実施するための形態】
【００１６】
以下の詳細な説明において、詳細な説明の一部を形成する添付図面を参照する。詳細な説明に記載され、図面に示され、特許請求の範囲で定義される図示的な実施形態は、限定することを意図するものではない。提示された主題の精神又は範囲から逸脱することなく、他の実施形態を利用することができ、他の変更を行うことができる。本明細書に一般的に記載され、図面に示される本開示の態様は、本開示において企図されているように、多種多様な構成で配置され、置換され、結合され、分離され、設計され得ることは容易に理解されるであろう。
【００１７】
多層階構造物の周囲の少なくとも一部の周りに配置されたファサードを有し、建築中に、ファサードの少なくとも一部は、構造物の上部の作業領域を超えて延びるように配置され、その作業領域のための安全バリアの少なくとも一部を形成する、多層階構造物の構築方法が開示される。
【００１８】
いくつかの形態において、ファサードは複数のパネルから形成され、パネルは、安全バリアの少なくとも一部を形成する。いくつかの形態において、ファサードは、支持要素と充填部材とを含み、支持部材は、充填部材に接続され、かつ、充填部材によって支持され、少なくとも支持要素は、安全バリアの少なくとも一部を形成する。いくつかの形態において、充填部材は、安全バリアの一部も形成する。
【００１９】
いくつかの形態において、本発明の方法は、さらに、安全バリアの一部を形成する取り外し可能なバリア部材を構築することをさらに含む。いくつかの形態において、バリア材料は、パネルの内側に配置される。いくつかの形態において、充填部材は、バリア材料を使用して、又はバリア材料を除去した後に、支持要素に連結される。
【００２０】
本発明の方法のいくつかの形態において、構造物の少なくとも１つのさらなるの床が上部の作業領域の上に構築され、さらなる床のそれぞれは、構造物のそれぞれの後続の上部の作業領域を形成し、ファサードの少なくとも一部は、後続の作業領域の少なくとも１つを超えて延びるように配置され、後続の作業領域のための安全バリアの少なくとも一部を形成する。
【００２１】
いくつかの形態において、ファサードが建設された後に少なくとも１つの床が形成され、床は、床がファサードと連結するように形成されている。いくつかの形態において、ファサードは連結領域を含む。床を形成する際のいくつかの形態において、床は、連結領域を取り囲む。
【００２２】
構造物を構築する際のいくつかの形態において、ファサードの少なくとも一部は、ファサードが次の床が構築される高さよりも上に延びて次の床のための安全バリアが形成されるように、最上階の前に構築される。
【００２３】
いくつかの形態において、安全バリアは次の床から少なくとも１.５ｍ上にある。
【００２４】
また、多層階構造物の周囲の少なくとも一部の周りに配置されるように構成されたファサードパネルも開示され、建築中に、ファサードの少なくとも一部は、構造物の上部の作業領域を超えて延びるように配置され、作業領域のための安全バリアの少なくとも一部を形成する。
【００２５】
本発明の方法及びパネルにより、作業者は、独立した落下バリア又は足場を必要とせずに、上部の作業領域で安全に作業することができる。いくつかの形態において、ファサードは、建設中に、ファサードを形成するファサードパネルの少なくとも一部が作業領域の上に延びて、作業領域からの落下を防止するように設計されている。
【００２６】
いくつかの形態において、多層階構造物の階の周囲の少なくとも一部の周りに複数のファサードパネルを設置することと、上層階の連結部分が多層階構造物の内側に延びるようにファサードパネルを向けることと、上層階の連結部材が上層階と係合して上層階を複数のファサードパネルと連結するように、上層階の連結部材の高さに上層階を形成することとを含み、ファサードパネルは、パネルの第１の対向面から延びる上層階の接続部材を備えた２つの対向面を有する。
【００２７】
ファサードパネルは、いくつかの形態において、構造物の地上階又は上層階の周囲に配置されてもよい。
【００２８】
いくつかの形態において、ファサードパネルは、上端及び下端を有し、使用時に、上層階の連結部材は、上端と下端の中間に配置される。
【００２９】
いくつかの形態において、上層階の連結部材は、パネルの第１の対向面から延びるフック又はバー又は他の形成された連結部を含む。
【００３０】
いくつかの形態において、上層階の連結部材は、パネルの第１の対向面に貼り付けられる。いくつかの形態において、上層階の連結部材は、パネルの第１の対向面に溶接される。
【００３１】
いくつかの形態において、上層階の連結部材は、パネルの第１対向面にボルト締めされている。
【００３２】
いくつかの形態において、本発明の方法は、複数の第２の階のファサードパネルの下端を複数のファサードパネルの上端に取り付けることをさらに含む。
【００３３】
いくつかの形態において、ファサードパネルは、互いに隣接して配置される。
【００３４】
また、２つの対向面、並びに、その場の上端及び下端を含むファサードパネルと、ファサードパネルの第１の対向面から延びる連結部材とが開示され、連結部材は、上端と下端の中間に配置されている。
【００３５】
連結部材は、ファサードが床に組み込まれるように、多層階構造物の上層階と係合又は連結するように構成される。これにより、ファサードに付加的な強度が与えられ、ファサードが建造中の落下防止を提供できるようになる。
【００３６】
いくつかの形態において、連結部材は、第１の対向面にボルト締めされる。これにより、パネルが損傷した場合に、パネルを取り外して交換することができる。パネルは、床からボルトを外して取り外すことができる。
【００３７】
いくつかの形態において、ファサードパネルの上端又は下端には、さらにパネル連結手段が配置されている。これにより、パネルを上又は下のパネルに取り付けて、構造物のさらなる階を建造することができる。
【００３８】
いくつかの形態において、連結部材は、第１の対向面から延びるフック又はバーを含む。いくつかの形態において、連結部材は、第１の対向面にボルト締めされるか、取外し可能に固定される。
【００３９】
構造物が多層階駐車構造物であるいくつかの形態において、ファサードパネルは、ファサードと衝突する車両に耐えるのに十分な強度のある材料で構成されている。
【００４０】
いくつかの形態において、ファサードパネルは、使用時に構造物の内部に延びるように位置決めされた支持部分をさらに含む。いくつかの形態において、支持部分は、支持部分から上向きに延びる車輪止めを含む。いくつかの形態において、支持部分は、支持部分から上向きに延びるガードレールを含む。
【００４１】
いくつかの形態において、ファサードパネルは構造用スチールで構成される。いくつかの形態において、ファサードパネルは換気口を含む。いくつかの形態において、ファサードパネルは、スラット、格子、又は穿孔されたスチールの形態である。いくつかの形態において、ファサードパネルは装飾的である。
【００４２】
いくつかの形態において、連結部材の上のファサードパネルの部分は、落下防止バリアとして機能する。
【００４３】
いくつかの形態において、ファサードパネルは、構造用枠と、構造用枠に係合する外面とを含む。いくつかの形態において、外面は防水性である。いくつかの形態において、ファサードパネルは、構造用枠と係合する内面をさらに含む。いくつかの形態において、断熱材が外面と内面との間に設置される。いくつかの形態において、ファサードパネルは窓又はガラスを含む。
【００４４】
いくつかの形態において、ファサードパネルは固体複合材パネルである。
【００４５】
いくつかの形態において、ファサードパネルは、アルミニウム、ガラス、アルミニウム及びガラスの組合せ、アルミニウム、複合材料、コンクリート、スチール、スチールとガラス、又は任意のその他の建材から構成される。いくつかの形態において、ファサードパネルは耐荷重性であり得る。いくつかの形態において、パネルが耐荷重性である場合、パネルは、コンクリート、構造用スチール又はその他の耐荷重性材料よりなる。
【００４６】
いくつかの形態において、パネルは、構造物の落下防止システム及び恒久的なファサードとして機能するように構成されている。
【００４７】
いくつかの形態において、外装ファサードを有する構造物を建設するためのファサード枠組が開示され、枠組は、内枠と、内枠から離間して内枠と連結された外枠とを含み、外装ファサードのファサードパネルは、内枠に取り付けられている。
【００４８】
いくつかの形態において、ファサードパネルは、窓又は壁を含む。
【００４９】
いくつかの形態において、多層階構造物を建築するためのモジュール式建築システムが開示され、このシステムは、外面壁部分と、第２の壁部分及び床部分のうち少なくとも１つとを含むモジュール式ユニットを含む。
【００５０】
ここで図１を参照すると、マンションや高層構造物などのファサードを有する多層階構造物の建設方法が開示されている。多層階構造物１０は、多層階構造物の外装ファサード１３を形成している複数のファサードパネル１２を含む。多層階構造物の床１４は、ファサード１３内に含まれる。ファサードパネル１２は、ファサードパネル１２が外装ファサード１３内の上又は下のファサードパネルに係合できるように構成されたパネル係合部分１５を含む。ファサードパネル１２は、床１４をファサードパネル１２と連結又は係合するように適合された床連結部分１７をさらに含む。
【００５１】
多層階構造物１０は、複数のファサードパネル１２を含む最下層階１８を、構造物１０の下層階１９の周りに配置することによって建設される。最下部のファサードパネルは、構造物の地上階、又は、地上階の上の１階、又は、地上と１階の中間に配置することができる。パネル１２は、構造物の下層階又は地上階の高さ、又はそれ以上の高さまで上向きに延びる。上層階２０は、最下部のファサードパネルと係合する複数のファサードパネル１２を含む。上層階のファサードパネル１２は、人の高さをはるかに超えて上方に延びる。床連結部分１７は、ファサードパネル１２の内面に設置されている。上層階のファサードパネル１２が位置決めされると、床用の型枠及び支柱などが設置される。次に、床とパネルが係合するように、床が、床連結部分１７の周りに施工、建設、又は打設される。次に、作業者は、次の階のファサードパネル２２を位置決めすることができる。このプロセスは構造物が必要な階数になるまで続く。
【００５２】
見てわかるように、プロセス全体を通して、ファサード１３は、上層階が施工される前に位置決めされ、最上階よりも高く延びる。これにより、ファサードが落下防止スクリーンとして機能し、上の作業領域を最上階に安全に位置決めすることができる。プロジェクトが完了すると、ファサードは構造物の外壁として残る。
【００５３】
床は、構造物によって支持されてもよい。いくつかの形態において、床は、ファサードパネルによって支持されてもよい。この形態において、パネルは耐荷重性であり、耐荷重性のある材料で構成されている。他の形態において、床は、独立したスチール又はコンクリートの柱材によって支持されてもよい。
【００５４】
床は、任意の床材で構成することができる。いくつかの形態において、床は、プレキャストコンクリートで形成される。他の形態において、床は、コンクリートが流し込まれたスチールの型枠を含む。いくつかの形態において、床は、鉄筋コンクリートを含む。いくつかの形態において、床は、構造用スチール及び敷板を含む。いくつかの形態において、床は、構造用木材を含み、いくつかの形態において、床は、複合材料で構成される。
【００５５】
図２〜４に向けると、プロセスがより詳細に示される。図２において、１階、２階、３階が施工されており、２階と３階のそれぞれに作業者が立っている。最上階には上の作業領域があり、ファサードは最上階よりも上に延びている。
【００５６】
ファサードパネル１２は、床連結部分１７を含む最上部のファサードパネル１２’を含む。床連結部分１７は、連結プレート２６から延びる連結部材２５の形態である。連結部材２５は、連結プレート２６に溶接されてもよく、他の方法で連結されてもよい。代替の実施形態において、連結部材は、ファサードから直接延びてもよい。いくつかの形態において、連結部材は鉄筋を含む。
【００５７】
図２〜４に示されるように、ブレース２８は、ファサード１２を保持して水平にするように位置決めされる。ブレースコネクタ３０がファサードパネル１２上に配置され、ブレース２８をファサードパネルに連結する。
【００５８】
固定ガラス、窓又は開口部２９は、ファサードパネル１２を貫通して延びる。いくつかの形態において、窓は、任意の通常の窓、開口部、ドア、固定ガラス又は他の材料である。
【００５９】
追加のファサードパネル１２’’は、ファサードパネル１２’の上に取り付けられる。床連結部分は、作業者の頭の高さよりも上の構造物の内方に延びる。型枠又は他の支柱２７を設置して、作業者が床連結部分の高さに上層階１４’を施工できるようにすることができる。
【００６０】
いくつかの形態において、ファサードパネルは、ガラス、スチール、アルミニウム、複合材、コンクリート、又は任意のその他の建材、又は建材の組合せから構成される。
【００６１】
図５〜６を参照すると、本開示のファサードパネルは、ファサードパネル１２の上端３１と下端３２との中間に配置される床連結部分１７を含む。図示する形態において、連結部分１７は、鉄筋突出部又は複数の鉄筋突出部の形態の連結部材２５を含む。連結部材２５は、連結プレート２６から延び、連結プレート２６に溶接される。代替の連結手段が利用可能であるか、又はいくつかの図示しない形態において、連結部材２５は、パネル１２と一体であるか、パネル１２に溶接され得る。
【００６２】
固定ガラス、他の材料又は窓２９、又はドア又はルーバーパネルのなどの開口部は、安全な建設を可能にするためにファサードパネル１２によって十分に支持されている。
【００６３】
図７〜１０を参照すると、構造物用のファサードパネル４０が開示されている。ファサードパネルは、構造物の周囲ファサードを形成するために使用してもよい。図７に向けると、図示される形態のファサードパネルは、構造枠４２を含む。構造枠は、垂直支持体４３及び水平ウェブ４４を含み、木材、スチール、アルミニウム、又は他の代替の建材から構成され得る。窓４６は、ファサードパネルを貫通して延びる。ファサードパネルは、外面４７をさらに含む。いくつかの形態において、外面４７は、防水性であり得る外壁又はカバーから構成される。空洞４８は、パネル４０内に位置付けられ、断熱材を含み得る。
【００６４】
図８〜１０に向けると、ファサードパネル４０は、外面４７と、内面４９と、これらの間にあり、断熱材を含み得る空洞４８とを有する。外面は、防水性でもよく、ガラス、不燃性被覆材、セメント製シート若しくはボード、アルミニウム、又は建物の外装ファサード用の任意の他の建材から構成され得る。内面４９は、石膏ボード又は代替の内装ファサード材料を含むことができる。窓４６は、パネルを貫通して延びていてもよい。
【００６５】
いくつかの形態において、パネルは２．５〜３ｍの高さを有し、床連結部材は、ファサードパネルが床上及び床方の両方に延びるように、ファサードパネルの約２／３の高さに位置付けられており、安全性を可能にし、ファサードパネル間の連結が、床とファサードパネルとの間の連結とは異なる高さにあることを意味する。このため、いくつかの実施形態では、手すりの追加の建設を必要とせずに、任意の高さから約１ｍ程度の手すり又は柵が、建設方法によって作製される。次に、手すりが壁構造物の一部を形成する。代替の実施形態において、ファサードパネル間の連結は、床とファサードパネルとの間の連結と同じ高さであり得る。
【００６６】
建設中、いくつかの形態において、パネル１２は、クレーンを使用して所定の位置に持ち上げられる。この連結を可能にするために、フックをパネル１２に組み込んでもよい。図１及び図６に示されるように、１つ又は複数のクレーンフック３５をパネル１２に位置決めしてもよい。
【００６７】
図１１を参照すると、多層階構造物を建設する際に使用するファサードパネルの第２の実施形態が開示され、構造物は、ファサードを含む。多層階構造物１は、多層階構造物の外装ファサード１３を形成している複数のファサードパネル１１２を含む。多層階構造物の床１１４は、ファサード１１３内に含まれる。ファサードパネル１１２は、ファサードパネル１１２が外装ファサード１１３内の上又は下のファサードパネルと係合できるように構成されたパネル係合部分１１５を含む。ファサードパネル１１２は、床１１４をファサードパネル１１２と連結又は係合するように適合された床連結部分１７をさらに含む。ファサードパネルは、ファサードパネル１１２の上部分を構成する安全バリア１１８を含む。安全バリア１１８は、床連結部分１１７の上のパネルの上部分を含む。
【００６８】
前の実施形態と同様に、多層階構造物１１０は、複数のファサードパネル１１２を含む最下層階１１８を、構造物１１０の下層階１１９の周りに配置することによって建設される。最下部のファサードパネルは、構造物の地上階、又は、地上階の上の１階、又は地上と１階の中間に配置することができる。パネル１１２は、構造物の下層階又は地上階の高さ、又はそれ以上の高さまで上向きに延びる。上層階１２０は、最下部のファサードパネルと係合する複数のファサードパネル１２を含む。上層階のファサードパネル１１２は、人の高さをはるかに超えて上方に延びる。床連結部分１１７は、ファサードパネル１１２の内面に設置されている。上層階のファサードパネル１１２が位置決めされると、床用の型枠及び支柱などが設置される。次に、床とパネルが係合するように、床が、床連結部分１１７の周りに施工、建設又は打設される。次に、作業者は、次の階のファサードパネル１２２を位置決めすることができる。このプロセスは、構造物が必要な階数になるまで続く。
【００６９】
見て分かるように、プロセス全体を通して、安全バリア部分１１８は、補助的な手すりの替わりに機能し、床を建造したりファサードの上部に接近したりする作業者を保護する。さらに、ファサード１１３は、上層階が施工される前に位置決めされる。これにより、ファサードが落下防止スクリーンとして機能する。プロジェクトが完了すると、ファサードは構造物の外壁として残る。
【００７０】
図１２及び１３に向けると、プロセスがより詳細に示される。図１２では、２つの階が建設されており、作業者は下の階に立っている。ファサードパネル１１２は、安全バリア部分１１８及び床連結部分１１７を含む。安全バリア１１８は、ファサードパネルの上部領域で形成されている。床連結部分１１７は、連結部材１２５の形態である。連結部材１２５は、ファサードに溶接されるか、ファサードにボルト締めされるか、又はファサードに溶接又はボルト締めされる連結プレートを介して連結され得る。代替の実施形態において、連結部材は、連結プレートを使用せずにファサードから直接延びていてもよい。いくつかの形態において、連結部材は鉄筋を含む。いくつかの形態において、連結部材の鉄筋は、プレキャストコンクリートで形成され、プレキャストコンクリートから外方に延びるＬ字状の鉄筋を含み得る。代替の実施形態において、連結部材はファサードから直接延びていてもよい。いくつかの形態において、連結部材は鉄筋を含む。代替の実施形態において、安全バリア１１８はパネルと係合してもよい。
【００７１】
図示される形態において、構造物の建設を可能にするために、型枠１２４及び突っ張り棒１３４が含まれる。
【００７２】
図１３に示されるように、下部連結部分１１７のそれぞれの周りに床１１４が形成されており、最上部の連結部分の周りに形成する準備ができている。最上階を利用している、又は最上部の作業領域に立っている作業者は、建設中の床の上に上向きに延びる安全バリア１１８によって保護されている。
【００７３】
図１４に最も良く示されるように、本開示のファサードパネルは、ファサードパネル１１２の上端１３１と下端１３２の中間に配置された床連結部分１１７を含む。すなわち、床連結部分は、安全バリア１１８を下部のファサードパネルから分割する。図示される形態において、連結部分１１７は、鉄筋突出部又は複数の鉄筋突出部の形態の連結部材１２５を含む。連結部材１２５は、床連結部分１１７から延びる。さらに、上部の連結部材１３７及び下部の連結凹部１３８を含んでいるファサードパネル連結システム１３６を提供する。ファサード連結部分１３６が任意の形態であり得ることは明らかである。いくつかの形態において、スラリー又はエポキシを利用して突起部を挿入及び接着するために空洞に挿入してもよい。
【００７４】
図１５に示されるように、窓又は開口部１２６は、ファサードパネル１１２を貫通して延びる。いくつかの形態において、窓は、任意の通常の窓、開口部又はドアであり得る。いくつかの形態において、窓はファサードパネル１１２の下部分を貫通して延び、ファサードパネル１１２の上部分は安全バリア１１８を含む。いくつかの形態において、いくつか又はすべてのパネルが窓を含むものでないことは明らかである。
【００７５】
この図に示されるように、連結部分１１７は、ファサードパネル１１２から内側に延びる棚部１３９を含み得る。この形態では、連結部分１１７及びパネル１１２は、Ｔ字を形成している。棚部は、使用中の通路として利用してもよい。安全バリア１１８は、この通路上の作業員を保護するため、又は、床連結部材１１７の周りに床を建設するために位置決めされるか、そうでなければファサードパネルの上部領域の近くに配置される。この棚部は施工のプロセスに必須のものでないことは明らかである。
【００７６】
いくつかの形態において、パネルは２．５〜３ｍの高さを有し、床連結部材は、ファサードパネルが床の上及び下の両方に延びるように、ファサードパネルの約２／３の高さに位置付けられており、安全性を可能にし、ファサードパネル間の連結が、床とファサードパネルとの間の連結とは異なる高さにあることを意味する。このため、いくつかの形態では、手すりの追加の建設を必要とせずに、任意の高さから約１ｍから１.５ｍの手すり又は柵が、建設方法によって作製される。次に、手すりが壁構造物の一部を形成する。
【００７７】
建設中、いくつかの形態において、パネル１１２は、クレーンを使用して所定の位置に持ち上げられる。この連結を可能にするために、フックをパネル１１２に組み込んでもよい。図１１に見られるように、１つ又は複数のクレーンフック１３５をパネル１１２に位置決めしてもよい。
【００７８】
図１６を参照すると、多層階構造物を建築する際に使用するファサードパネルの他の実施形態が開示され、構造物は、ファサードを含む。第１の実施形態と同様に、多層階構造物１１０は、多層階構造物の外装ファサード１１３を形成している複数のファサードパネル１１２を含む。多層階構造物の床１１４は、ファサード１１３内に含まれる。ファサードパネル１１２は、ファサードパネル１１２が外装ファサード１１３内の上又は下のファサードパネルと係合できるように構成されたパネル係合部分１１５を含む。ファサードパネル１１２は、床１１４をファサードパネル１１２と連結又は係合するように適合された床連結部分１７をさらに含む。ファサードパネルは、ファサードパネル１１２の上部を構成する安全バリア１１８を含む。安全バリア１１８は、床連結部分１１７の上のパネルの上部を含む。
【００７９】
図１６を参照すると、本発明の方法の代替の実施形態が示されており、この場合、駐車場構造物を建設する。この実施形態において、ファサードを有する自動車駐車場構造物などの多層階構造物の建設方法が開示されている。多層階構造物２１０は、多層階構造物の外装ファサード２１３を形成している複数のファサードパネル２１２を含む。多層階構造物の床２１４は、ファサード２１３内に含まれる。ファサードパネル２１２は、ファサードパネル２１２が外装ファサード２１３内の上又は下のファサードパネルと係合できるように構成されたパネル係合部分２１５を含む。ファサードパネル２１２は、床２１４をファサードパネル２１２と連結又は係合するように適合された床連結部分２１７をさらに含む。
【００８０】
多層階構造物２１０は、複数の最下部のファサードパネル２１８を、構造物２１０の下層階２１９の周りに配置することによって建設される。最下部のファサードパネルは、構造物の地上階、又は、地上階の上の１階に配置することができる。パネルは、構造物の下層階又は地上階の高さ、又はそれ以上の高さまで上向きに延びる。複数の上層階のファサードパネル２２０が、最下部のファサードパネル２１８と係合している。上層階のファサードパネル２２０は、人の高さをはるかに超えて上に向かって延びる。床連結部分２１７は、ファサードパネル２２０の内面に配置されている。上層階のファサードパネル２２０が位置決めされると、キャストコンクリート床用の型枠及び支柱などが設置される。次に、コンクリート床は、床とパネルが係合するように、床連結部分２１７の周りに打設される。次に、作業者は、次の階のファサードパネル２２２を位置決めすることができる。このプロセスは、構造物が必要な階数となるまで続く。
【００８１】
見て分かるように、プロセス全体を通して、ファサード２１３は、上層階が施工される前に位置決めされる。これにより、ファサードが落下防止スクリーンとして機能する。プロジェクトが完了すると、ファサードは装飾的な外側のスクリーンとして残る。いくつかの形態において、ファサード２１３は、ガードレールとして機能し、車両が構造物から飛び出すのを防止するのに十分な強度がある。
【００８２】
図１７〜１９に向けると、プロセスがより詳細に示される。図１７において、１階及び２階が施工されており、作業者は上層作業において２階に立っている。ファサードパネル２１２は、床連結部分２１７を含む最上部のファサードパネル２１２’を含む。床連結部分２１７は、連結プレート２２６から延びる連結部材２２５の形態である。連結部材２２５は、連結プレート２２６に溶接されてもよく、又は他の方法で連結されてもよい。
【００８３】
図１８において、追加のファサードパネル２１２’’がファサードパネル２１２’の上方に取り付けられている。床連結部分は、作業者の頭の高さより上の構造物の内側に延びている。型枠又は他の支柱２２７を設置して、作業者が床連結部分の高さで上層階２１４’を施工できるようにしてもよい。
【００８４】
図２０〜２３を参照すると、本開示のファサードパネルは、ファサードパネル２１２の上端２３１と下端２３２の中間に配置される床連結部分２１７を含む。図示される形態において、連結部分２１７は、フックの形態の連結部材２２５を含む。連結部材２２５は、連結プレート２２６から延び、それに溶接されている。図示される形態において、連結プレート２６は、ボルト２３５によってファサードパネル２３４と係合している。代替の連結手段が利用可能であるか、又はいくつかの図示しない形態において、連結部材２２５は、パネル２１２と一体であるか、パネル２１２に溶接され得る。
【００８５】
図２４を参照すると、ファサードパネル２１２と、隣接する上部又は下部ファサードパネル２１２との間の連結２３７が示されている。この連結は、ボルト締め２４０とすることができ、図示されるように、複数のプレート２４１を含み得るか又は溶接されるか、そうでなければ連結され得る。代替の実施形態において、他の取付け手段を使用してもよい。
【００８６】
図２５を参照すると、ファサードを有する自動車駐車場構造物などの多層階構造物の建設方法が開示されている。この方法は、図１６〜２４で上述した方法と同様である。
【００８７】
多層階構造物２１０は、多層階構造物の外装ファサード２１３を形成している複数のファサードパネル２１２を含む。多層階構造物の床２１４は、ファサード２１３内に含まれる。ファサードパネル２１２は、ファサードパネル２１２が外装ファサード２１３内の上又は下のファサードパネルに係合できるように構成されたパネル係合部分２１５を含む。ファサードパネル２１２は、床連結部分２１７と、床連結部分２１７から延びる床連結プレート２２６とをさらに含む。
【００８８】
多層階構造物２１０は、上述した構造物と同様に建設される。床連結部分２１７は、ファサードパネル２２０の内面に配置される。この形態において、床連結部分は、車輪止め２３２を組み込んだ支持部分２３１を含む。
【００８９】
見て分かるように、プロセス全体を通して、ファサード２１３は、上層階が施工される前に位置決めされる。これにより、ファサードが落下防止スクリーンとして機能する。プロジェクトが完了すると、ファサードは装飾的な外側のスクリーンとして残る。いくつかの形態において、ファサード２１３は、ガードレールとして機能し、車両が構造物から飛び出すのを防止するのに十分な強度がある。組み込みの車輪止め及びガードレールの等価物と組合せにより、必要な構造が大幅に削減される。
【００９０】
次に図２６を参照すると、多層階構造物３１０の建設方法が開示されている。この方法は、スチール又は任意の他の適切な建材及び支持材料で形成された垂直材３１１を建設することを含む。垂直材３１１は、構造物３１０の周りで互い違いになっている。
【００９１】
カーテンウォール又はファサード３１４は、所定の位置に持ち上げられ、構造物の周囲の周り又は任意の他の位置に配置され得る。カーテンウォール３１４は、床連結部分３１７を含む。図示される形態において、床連結部分３１７は、垂直材を実質的に横切って延びる鉄筋の形態である。カーテンウォール３１４は、アルミニウム及びガラス、又は任意の他の適当な壁又は窓材料から構成され得る。
【００９２】
建築中、床連結部分３１７は、コンクリート又はデッキ又は複合材などの他の代替の材料で構成される床に連結されてもよい。
【００９３】
図２７及び２８を参照すると、マンション又は高層構造物などの多層階構造物の建設方法が開示され、構造物は、ファサード及び１つ又は複数のバルコニーを有する。多層階構造物４１０は、多層階構造物の外装ファサード４１３を形成している複数のファサードパネル４１２を含む。多層構造物の床４１４は、ファサード４１３内に含まれる。ファサードパネル４１２は、床４１４をファサードパネル４１２に連結又は係合するように適合された床連結部分４１７を含む。
【００９４】
この形態において、いくつかのパネルは、構造物から外向きに延びるバルコニー部分４１９をさらに含む。バルコニー部分は、ファサードの一部を形成するために外装ファサードの一部と係合するか、あるいは、図示されるように、バルコニー部分４１９は、片持ち床部４２１と係合する。次に、ファサードパネル４１２は、バルコニー部分内に配置され、バルコニー壁４２０は、建築中の落下バリアとして機能する。このようにして、ファサードパネル４１２及びバルコニー壁４２０の組合せは、落下防止とし機能するだけでなく、構造物の恒久的な外装の一部としても機能し得る。
【００９５】
多層階構造物４１０は、複数のファサードパネル４１２を含む最下層階４１８を、構造物の下層階の周りに配置することによって建設される。最下部のファサードパネルは、構造物の地上階、又は地上階の上の１階、又は、地上と１階の中間に配置することができる。パネル４１２は、構造物の下層部又は地上階の高さ、又はそれ以上の高さまで上向きに延びる。最上階４２５は、前の最上階と係合した複数のファサードパネル４１２を含む。最上部のファサードパネルは、人の高さよりも上に向かって延びている。バルコニー部分４１９はまた、必要な場所に位置決めされる。床連結部分４１７は、ファサードパネル４１２の内面に配置され、床連結部分４２７は、片持ち梁床部分４２１に位置決めされている。いくつかの形態において、床連結部分は、片持ち梁床部分４２１から延びる鉄筋の形態である。上層部のファサードパネル４１２が位置決めされると、床用の型枠及び支柱などが設置される。
【００９６】
この後、床とパネルが係合するように、床が、床連結部分４１７の周りに施工、建設、又は打設される。同様に、片持ち梁床部分４２１が床に組み込まれる。次に、作業者は、次の階のファサードパネル４１２の位置決めを行い、壁を有さないバルコニー階にファサードパネルを組み入れることができる。このプロセスは、構造物が必要とされる階数となるまで続く。
【００９７】
図２９及び３０を参照すると、多層階構造物を建設する際に使用するファサード枠組５０１が開示され、この構造物は、ファサードを含む。ファサード枠組５０１は、複数の枠モジュール５０２を含み、各モジュールは、内枠５０３及び外枠５０４を含んでいる。内枠５０３及び外枠５０４は、構造物から離れる方向に互いに離れて配置されている。複数のウェブ５０６が、内枠５０３と外枠５０４とを連結している。
【００９８】
図示した形態において、内枠５０３は、上枠部分及び下枠部材５０７と、側枠部材５０８とを含む。いくつかの形態において、１つの枠のための側枠部材は、隣接する枠の側枠部材と一体であるか、又はそれに対応する。つまり、モジュールの内枠は、側部材を共有できる。上枠部材又は下枠部材は、単一の内枠の長さよりも長く延びていてもよい。他の形態において、内枠部材は、上枠部材又は下枠部材を共有してもよい。側枠部材はまた、複数の内枠の長さにわたって延びていてもよい。
【００９９】
使用時に、内枠は、構造物の床５５０の周囲の一部を形成するように位置決めされる。ウェブ５０６は、内枠５０３から外枠５０４に向かって外側に延び、外枠５０４を内枠５０３に対して所定の位置に保持する。
【０１００】
外枠５０４も同様に、上枠部材及び下枠部材５１１、並びに側枠部材５１２を含む。
【０１０１】
図２９に示されるように、窓５１３又は壁５１４は、内枠５０３に固定され得る。これらの窓５１３又は壁５１４又は他の面部材は、枠組を構造物に位置決めする前に、枠組に固定され得る。
【０１０２】
一時的な積載プラットフォーム、恒久的な積載プラットフォーム、又は恒久的なバルコニーの形態のデッキ５１５をファサード枠組に固定し得る。いくつかの形態において、デッキ５１５は、内枠５０３から外枠５０４まで延び、内枠５０３及び外枠５０４の両方によって支持されている。デッキは、十分なスペースを提供するために外枠を超えて延びていてもよい。図２９に示されるように、バルコニードア５１７は、構造物が完成した後、バルコニーへの接近を可能にするために、壁５１４に位置決めされ得る。
【０１０３】
図３０をさらに参照すると、鉄筋の形態であり得るコネクタ５２０が、ファサード枠組５０１から内側に延びる。コネクタは、ファサード枠組を構造物に位置決めした後、床５５０を打設できるように構成及び位置決めされる。コネクタ５２０は、床に組み込まれ得、床５５０の補強鉄筋として機能し得る。
【０１０４】
一時的又は恒久的な枠ブレース５２２は、上部の外枠部材又は内枠部材から、下部の外枠部材又は内枠部材まで対角線上に延びることができる。これらの枠ブレース５２２は、後で取り外すことができる。一時的又は恒久的なデッキブレース５２３は、枠組５０１からデッキ５１５の床又は端部まで延びることができる。
【０１０５】
ファサード枠組５０１は、構造物の恒久的なファサードとなることを目的としている。施工において、ファサード枠組５０１が建築される。施工業者は、１階又は２階建ての高さの枠組が、打設される床の上に配置されるようにしてもよい。これにより、枠組を利用して落下を防止することができる。次に、床が打設され、コネクタ５２０を介して床をファサード枠組５０１に連結することができる。内枠５０３は、窓又は壁又はそれらの組合せを固定し、外枠５０４は構造物の端部となる。デッキ５１５は、内枠及び外枠によって支持され、外枠５０４をこえて延びることができる。
【０１０６】
図３１及び３２を参照すると、多層階構造物を建設する際に使用するファサード枠組５６１が開示され、この構造物は、ファサードを有する。ファサード枠組５６１は、複数の枠モジュール５６２を含み、各モジュールは、内枠５６３及び外側配置５６４を含む。内枠５６３及び外側配置５６４は、構造物から離れる方向に互いに離れて配置されている。複数のウェブ５６６が、内枠５６３と外枠５６４とを連結している。
【０１０７】
図示される形態において、内枠５６３は、上枠部材及び下枠部材５６７並びに側枠部材５６８を含む。いくつかの形態において、１つの枠のための側枠部材は、隣接する枠の側枠部材と一体であるか、又はそれに対応する。つまり、モジュールの内枠は、側部材を共有することができる。上枠部材又は下枠部材は、単一の内枠の長さよりも長く延びていてもよい。他の形態において、内枠部材は、上枠部材又は下枠部材を共有していてもよい。側枠部材はまた、複数の内枠の長さにわたって延びていてもよい。
【０１０８】
使用時に、内枠は、構造物の床５８０の周囲の一部を形成するよう位置決めされる。ウェブ５６６は、内枠５６３から外側配置５６４に向かって外側に延び、外側配置５６４を内枠５６３に対して所定の位置に保持する。
【０１０９】
外側配置５６４は、側部材５７２を含む。
【０１１０】
内枠５０３は、取外し可能なバリア部材を支持し得る。メッシュ状のバリア材料又は任意の代替のバリアシートを内枠に位置決めすることができる。バリア材料は、内枠及び窓５７３から除去され得るか、又は、ガラスファサードが内枠５０３に固定され得る。
【０１１１】
外側配置５６４は、窓又はガラスファサードの外側に配置されている。
【０１１２】
ファサード枠組５６１は、枠モジュール５６２の形態で提供され得る。図３１に示されるように、モジュールは、複数の隣接する内枠及び外側配置を含み得る。複数の内枠５６３は、互いに隣接して配置され、モジュール５６２を形成するために隣接又は一体に形成されている。図示される形態において、モジュール５６２は、３つの隣接した内枠を含むが、モジュールは、任意の数の隣接した枠から形成することができ、隣接する枠が互いに並んで、又は上下になるように形成できることは明らかである。
【０１１３】
図３１にさらに示されるように、床５８０を打設している間に、型枠５７６を利用することができる。コネクタ５７８を利用して、床５８０をファサード枠組５６１に連結することができる。
【０１１４】
次に図３３及び３４に向けると、多層階構造物を建設する際に使用するファサード枠組６０１が開示され、この構造物は、ファサードを有する。ファサード枠組６０１は、複数の枠モジュール６０２を含み、各モジュールは、内枠６０３及び外枠６０４を含む。複数のウェブ６０６は、内枠６０３及び外枠６０４を連結する。
【０１１５】
図示される形態において、内枠６０３は、上枠部材及び下枠部材６０７並びに側枠部材６０８を含む。
【０１１６】
使用時に、内枠は、構造物の床６５０の周囲の一部を形成するように位置決めされる。ウェブ６０６は、内枠６０３から外枠６０４に向かって外側に延び、外枠６０４を内枠６０３に対して所定の位置に保持する。
【０１１７】
外枠６０４も同様に、上枠部材及び下枠部材６１１、並びに側枠部材６１２を含む。
【０１１８】
窓６１３又は壁６１４は、内枠６０３に固定され得る。これらは、枠組を構造物に取り付ける前に、枠組に位置決め及び固定され得る。
【０１１９】
一時的な積載プラットフォーム、恒久的な積載プラットフォーム、又は恒久的なバルコニーの形態のデッキ６１５をファサード枠組に固定し得る。いくつかの形態において、デッキ６１５は、内枠６０３から外枠６０４まで延び、内枠６０３及び外枠６０４の両方によって支持されている。デッキは、十分なスペースを提供するために外枠を超えて延びていてもよい。バルコニードア６１７は、構造物が完成した後、バルコニーへの接近を可能にするために、壁６１４に位置決めされ得る。
【０１２０】
この実施形態において、デッキ６１５は、外枠６０４を大幅に超えては延びず、ファサード枠組６０１内で支持されている。
【０１２１】
ファサード枠組６０１は、枠モジュール６０２の形態で提供され得る。モジュールは、複数の隣接する内枠及び外枠を含み得る。さらに、モジュールは、バルコニー又は他のデッキを含み得る。
【０１２２】
ファサード枠組６０１から延びるコネクタ６４０は、鉄筋の形態であり得る。床６５０が打設されるときに、コネクタ６４０は床に組み込まれてもよい。取り外し可能又は恒久的なブレース６１８は、ファサード枠組の内枠と外枠との間に位置決めされ得る。
【０１２３】
図３５を参照すると、いくつかの形態において、枠組が位置決めされた後、一時的な積載プラットフォーム又は恒久的な積載プラットフォーム、又は恒久的なバルコニーの形態のデッキ６５５を枠組６５１に組み込むことができる。デッキ６５５は、型枠内に配置して型枠の上枠部材及び下枠部材を係合して相互係合するように構成及び寸法決めされた内側支持バー６５６を含み得る。デッキは、型枠内に配置するために、支持バー６５６を角度付けすることによって配置することができる。
【０１２４】
図３６〜３８を参照すると、多層階構造物を建設するためのファサードシステムが開示されている。ファサードシステムは、複数のファサードパネル７０１を含む。ファサードパネルは、互いに、又は鉄筋の形態の複数のブレース７０３を使用して構造物と係合する。図示される形態において、ブレース７０３は、１つのファサードから対向するファサードまで構造物を横切って延びるが、ファサードパネル７０１は、角度をなして延びるか、構造内に配置された支持体まで延びるブレースを利用して、所定の位置に保持され得ることは明らかである。
【０１２５】
ブレースは、床が打設されたときにブレースがコンクリート用の補強を形成するように、構造物の床の高さに位置付けられる。したがって、ブレース７０３は、コンクリートの床内に保持される。いくつかの形態において、プッシュプルプロップ７０４が構造物に組み込まれている。これらは後で取り外すことができる。
【０１２６】
図３７は、構造物内のブレース７０３のレイアウトの平面図を示す。このレイアウトに示されているように、ブレース７０３は、構造物の全幅にわたって延びることができ、又は構造物のコーナー間、又は他のブレース間に延びることができる。この形態において、ブレースは、様々な角度のブレース７０３を含み、一部はファサードパネルに対して斜めに延び、その他はファサードパネル７０１を横切って又は平行に延びる。次に、ブレース又は鉄筋は、コンクリート床に流し込むときに組み込まれる。
【０１２７】
図３９〜４０を参照すると、多層階構造物を建造するためのモジュール式建築システムが開示されている。この建築システムは、外壁部分７５１と、第２の壁部分７５２及び床部分７５３のうちの少なくとも１つとを含むモジュール式ユニット７５０を含む。図示する実施形態において、モジュール式ユニット７５０は、貫通して延びる窓７５５を有する外壁部分７５１を含む。
【０１２８】
第２の壁部分７５２は、外壁部分を横断して延び、構造物内のモジュール式ユニットの位置に応じて、外側壁部分７５６又は内部壁部分７５７のいずれかを形成する。
【０１２９】
床部分７５３は、注入された床に組み込まれるように構成された鉄筋７５９を含み得る。あるいは、床部分は、平面であってもよく、建設７５８の前に充填されていてもよい。
【０１３０】
建築中に、１つ又は複数のユニットを構造物に対して所定の位置にクレーンで固定し、外装ファサードを位置決めしながら部分的な内壁と床を建設してもよい。
【０１３１】
図４１を参照すると、多層階構造物を建築するためのシステムのさらなる実施形態が開示されている。このシステムは、複数の直立柱８０１を含む。直立柱８０１は、スチール又は任意のその他の材料で構成される。直立柱は、高さがずらされるように配置され、構造物に追加の強度を与える。柱の接合部８０４は、柱の最も弱い点がずれるように整列されていない。
【０１３２】
ファサードパネル８０２は、外装ファサードを構築するために所定の位置に移動される。ファサードパネル８０２は、注入された床又は他の材料の床への連結を可能にする、鉄筋又は同様の材料の形態のコネクタ８０３を含む。コネクタ８０３は、床が配置される階に配置され、構造物内に延びる。
【０１３３】
ファサードパネルは、アルミニウム又はガラスのカーテンウォール、又は構造物用の任意のその他のファサードの形態とすることができる。
【０１３４】
図４２を参照すると、ファサードパネル８２０を含む多層階構造物を建築するためのシステムのさらなる実施形態が開示されている。ファサードパネル８２０は、構造物に追加の強度を与えるためにずらされている。これは、パネル間の接合部８２１が整列していないことを意味する。このシステムは、パネルの互い違いを可能にするために、下の階に交互に配置された、複数のより短いパネル８２２と、複数の標準サイズのパネル８２３とを含む。
【０１３５】
見て分かるように、プロセス全体を通して、ファサード４１３及びいくつかの形態では、バルコニーの壁４２０は、上層階が建設される前に位置決めされ、最上階よりも高く延びる。これにより、ファサード及びバルコニーの壁は落下防止スクリーンとして機能し、最上階の作業領域を安全に最上階に位置決めすることができる。プロジェクトが完了すると、ファサードは構造物の外壁として残る。
【０１３６】
いくつかの形態において、本開示のパネルは、取り換え可能な充填材料メッシュを備えた建物の恒久的なファサードの一部分として機能するパネル枠を含み得る。例えば、枠は、ガラス又は他の材料と交換することができる取外し可能な充填パネルを含み得る。他の形態において、パネルは、建物の恒久的ファサードとして機能する枠及び壁材料、並びに建設が完了した後に取り外すことができる内部保護材料を含み得る。例えば、パネルは、ガラスの外装及びボード又はポリマーの内装の取外し可能な材料を含むことができる。
【０１３７】
本開示の精神又は範囲から逸脱することなく、前述の部分に対変更及び修正を加えることができる。
【０１３８】
以下の特許請求の範囲及び本発明の前述の説明において、明示的な文言又は必要な含意のために文脈が他の方法で要求する場合を除いて、「含む（comprise）」という用語、又は「含む（comprises）」又は「含んでいる（comprising）」などの変形は、包括的な意味で使用される、すなわち、記載された特徴の存在を特定するが、本発明の様々な実施形態における他の特徴の存在又は付加を排除するものではない。
【図１】
2021533294.tif 000003
【図２】
2021533294.tif 000004
【図３】
2021533294.tif 000005
【図４】
2021533294.tif 000006
【図５】
2021533294.tif 000007
【図６】
2021533294.tif 000008
【図７】
2021533294.tif 000009
【図８】
2021533294.tif 000010
【図９】
2021533294.tif 000011
【図１０】
2021533294.tif 000012
【図１１】
2021533294.tif 000013
【図１２】
2021533294.tif 000014
【図１３】
2021533294.tif 000015
【図１４】
2021533294.tif 000016
【図１５】
2021533294.tif 000017
【図１６】
2021533294.tif 000018
【図１７】
2021533294.tif 000019
【図１８】
2021533294.tif 000020
【図１９】
2021533294.tif 000021
【図２０】
2021533294.tif 000022
【図２１】
2021533294.tif 000023
【図２２】
2021533294.tif 000024
【図２３】
2021533294.tif 000025
【図２４】
2021533294.tif 000026
【図２５】
2021533294.tif 000027
【図２６】
2021533294.tif 000028
【図２７】
2021533294.tif 000029
【図２８】
2021533294.tif 000030
【図２９】
2021533294.tif 000031
【図３０】
2021533294.tif 000032
【図３１】
2021533294.tif 000033
【図３２】
2021533294.tif 000034
【図３３】
2021533294.tif 000035
【図３４】
2021533294.tif 000036
【図３５】
2021533294.tif 000037
【図３６】
2021533294.tif 000038
【図３７】
2021533294.tif 000039
【図３８】
2021533294.tif 000040
【図３９】
2021533294.tif 000041
【図４０】
2021533294.tif 000042
【図４１】
2021533294.tif 000043
【図４２】
2021533294.tif 000044
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
多層階構造物の周囲の少なくとも一部の周りに配置されたファサードを有する多層階構造物の構築方法であって、建設中に、ファサードの少なくとも一部は、構造物の上部の作業領域を超えて少なくとも２階の高さまで延びるように配置され、前記作業領域の安全バリアの少なくとも一部を形成し、前記多層階構造物を構築する際に、前記構造物の少なくとも１つのさらなる床は、前記上部の作業領域の上に構築され、前記又は各さらなる床は、前記構造物のそれぞれの後続の上部の作業領域を形成し、前記ファサードの少なくとも一部は、前記後続の作業領域の最上部を超えて少なくとも１階の高さまで延びるように配置され、前記最上部の後続の作業領域のための安全バリアの少なくとも一部を形成する、多層階構造物の構築方法。
【請求項２】
前記さらなる床のそれぞれは、前記床が前記ファサードと連結するように形成されている、請求項１に記載の多層階構造物の構築方法。
【請求項３】
前記最上部の後続の作業領域が形成されると、前記ファサードの高さが、前記最上部の後続の作業領域を超えて少なくとも２階の高さまで延びるように増加され、その建設のための安全バリアを提供しながら、前記構造物の少なくとも１つのさらなる床が構築されることを可能にする、請求項１又は２に記載の多層階構造物の構築方法。
【請求項４】
前記ファサードは、複数の連結されたファサードモジュールから形成される、請求項１〜３のいずれか１項に記載の多層階構造物の構築方法。
【請求項５】
前記ファサードは、内枠及び外枠を有する枠組として形成される、請求項１〜３のいずれか１項に記載の多層階構造物の構築方法。
【請求項６】
前記ファサードは、複数の連結されたファサードモジュールから形成され、各モジュールは、使用時にそれぞれ内枠及び外枠の一部を形成する内枠部分及び外枠部分を含む、請求項５に記載の多層階構造物の構築方法。
【請求項７】
多層階構造物の周囲の少なくとも一部の周りに配置されるように構成されたファサードであって、建設中に、ファサードの少なくとも一部は、前記構造物の上部の作業領域を超えて少なくとも２階の高さまで延びるように配置され、前記上部の作業領域の上に構築された少なくとも１つのさらなる床の作業領域及び後続の作業領域のための安全バリアの少なくとも一部を形成する、ファサード。
【請求項８】
前記ファサードは、複数の連結されたファサード組立モジュールから形成される、請求項７に記載のファサード。
【請求項９】
前記ファサードは、内枠及び外枠を有する枠組として形成されている、請求項７に記載のファサード。
【請求項１０】
前記ファサードは、複数の連結されたファサードモジュールから形成され、各モジュールは、使用時にそれぞれ前記内枠及び前記外枠の一部を形成する内枠部分及び外枠部分を含む、請求項９に記載のファサード。
【請求項１１】
外装ファサードを有する構造物を建設するためのファサード枠組であって、内枠と、前記内枠から離間して前記内枠に連結された外枠とを含み、前記外装ファサードのファサードパネルが前記内枠に取り付けられている、ファサード枠組。
【請求項１２】
前記ファサードパネルが窓又は壁を含む、請求項１１に記載のファサード枠組。
【請求項１３】
多層階構造物を建築するためのモジュール式建築システムであって、外側壁部分と、第２の壁部分及び床部分のうちの少なくとも１つとを含むモジュール式ユニットを含む、モジュール式建築システム。
【請求項１４】
請求項１〜６のいずれか１項に記載の方法を使用して建設された建物。
【請求項１５】
請求項７〜１０のいずれか１項に記載のファサードを使用して建設された建物。
【請求項１６】
請求項１１又は１２に記載の枠組を使用して建設された建物。
【請求項１７】
請求項１３に記載のモジュール式ユニットを使用して建設された建物。
【国際調査報告】
2021533294.tif 000045
2021533294.tif 000046
2021533294.tif 000047
2021533294.tif 000048
2021533294.tif 000049